(57)【要約】      （修正有）【課題】被包装物の大きさを問わずに、高齢者や子供でも簡単かつ容易に包装することができ、当該包装形態を確実に保持できる保冷性、携帯性に優れた保冷風呂敷を提供する。【解決手段】保冷風呂敷１は、樹脂または布シート１１を有し、裏面にアルミ蒸着またはアルミ箔を使用したラミネートフィルムを有し、両者の間に所定厚さの発泡樹脂シートを備えた風呂敷本体３と、伸縮性を有する帯状テープで形成され基端部が上記風呂敷本体表面の角隅部近傍に取り付けられ先端部が上記角隅部とその対角に位置する反対側の角隅部とのなす対角線上にあって上記角隅部から外方に延長配置され先端部裏面に面ファスナー９を有する第１結束テープ５と、基端部が上記角隅部近傍に取り付けられ先端部が少なくとも上記対角線上で風呂敷本体の中央部近傍に延長配置され表面全体に面ファスナー９を有する第２結束テープ７とを備えたものである。【選択図】図１
0003186603.tif 000002
【実用新案登録請求の範囲】
【請求項１】
表面に樹脂または布シートを有し、裏面にアルミ蒸着またはアルミ箔を使用したラミネートフィルムを有し、両者の間に所定厚さの発泡樹脂シートを備えた風呂敷本体と、テープで形成され基端部が上記風呂敷本体表面又は裏面の角隅部近傍に取り付けられ先端部が上記角隅部とその対角に位置する反対側の角隅部とのなす対角線上にあって上記角隅部から外方に延長配置され少なくとも先端部裏面に面ファスナーを有する第１結束テープと、少なくとも基端部が上記角隅部近傍に取り付けられ先端部が上記対角線上で風呂敷本体の中央部近傍に延長配置され表面に被着用面ファスナーを有する第２結束テープとを具備したことを特徴とする保冷風呂敷。
【請求項２】
上記第１結束テープは伸縮性を有するテープであることを特徴とする請求項１記載の保冷風呂敷。
【請求項３】
上記風呂敷本体の裏面における上記第１結束テープが取り付けられている角隅部と対角をなす反対側の角隅部には、保冷剤を収容するポケット状または袋状の保冷剤収容部が設けられていることを特徴とする請求項１または２記載の保冷風呂敷。
【考案の詳細な説明】
【技術分野】
【０００１】
本考案は、弁当や生鮮食料品等を包むのに好適な保冷性を有し、持ち運びに便利な携帯性を有する保冷風呂敷に係り、特に、高齢者や子供でも簡単かつ容易に使用できるようにしたものに関する。
【背景技術】
【０００２】
風呂敷は被包装物の形状や大きさに拘らず、種々の被包装物を包装することができ、未使用時にはコンパクトに折り畳んで携帯することができる重宝さが受けて古くから使用されている。
また、近年、上記風呂敷の有する重宝さが見直されて下記の特許文献１に示すような新しいタイプの風呂敷も登場してきている。
【０００３】
下記の特許文献１に開示されている風呂敷は、樹脂または布シートを有し、裏面にアルミ蒸着またはアルミ箔を使用したラミネートフィルムを有し、両者の間に所定厚さの発泡樹脂シートを備えた風呂敷本体と、上記風呂敷本体の表面の角隅部に取り付けられる掛止め用ボタンと、上記掛止め用ボタンの取付け位置から繰り出される輪形をしたゴム紐と、を具備し、上記ゴム紐を上記掛止め用ボタンの取付け位置から当該角隅部の先端に向けて所定角度の二方向に繰り出し、当該角隅部を形成する交差する二辺の近傍で上記風呂敷本体に係止することによって構成されている。
【先行技術文献】
【特許文献】
【０００４】
【特許文献１】実用新案登録第３１６４６３１号公報
【考案の概要】
【考案が解決しようとする課題】
【０００５】
しかしながら、上記輪形のゴム紐を掛止め用ボタンに掛けてその包装形態を保持する風呂敷では、大きな被包装物を包装する場合、ゴム紐を強く伸張させ掛止め用ボタンに掛ける必要があり、高齢者や子供にとっては難しい作業で使用上の支障になっていた。
【０００６】
本考案はこのような点に基づいてなされたものでその目的とするところは、被包装物の大きさを問わずに、高齢者や子供でも簡単かつ容易に包装することができ、当該包装形態を確実に保持できる保冷性、携帯性に優れた保冷風呂敷を提供することにある。
【課題を解決するための手段】
【０００７】
上記目的を達成するべく本考案の請求項１による保冷風呂敷は、表面に樹脂または布シートを有し、裏面にアルミ蒸着またはアルミ箔を使用したラミネートフィルムを有し、両者の間に所定厚さの発泡樹脂シートを備えた風呂敷本体と、テープで形成され基端部が上記風呂敷本体表面又は裏面の角隅部近傍に取り付けられ先端部が上記角隅部とその対角に位置する反対側の角隅部とのなす対角線上にあって上記角隅部から外方に延長配置され少なくとも先端部裏面に面ファスナーを有する第１結束テープと、少なくとも基端部が上記角隅部近傍に取り付けられ先端部が上記対角線上で風呂敷本体の中央部近傍に延長配置され表面に被着用面ファスナーを有する第２結束テープとを具備したことを特徴とするものである。
【０００８】
また、請求項２による保冷風呂敷は、請求項１記載の保冷風呂敷において、上記第１結束テープは伸縮性を有するテープであることを特徴とするものである。
また、請求項３による保冷風呂敷は、請求項１または２記載の保冷風呂敷において、上記風呂敷本体の裏面における上記第１結束テープが取り付けられている角隅部と対角をなす反対側の角隅部には、保冷剤を収容するポケット状または袋状の保冷剤収容部が設けられていることを特徴とするものである。
【０００９】
そして上記手段によって次のような作用が得られる。まず、風呂敷本体における上記角隅部の取付け位置から第１結束テープを繰り出し、当該角隅部で風呂敷本体に係止するようにしたことにより、当該第１結束テープは、被包装物をくるんだ状態の風呂敷本体の前面を通って第１の折返し端に到達する。また、上記風呂敷本体の後面を通って上記第１結束テープの先端部は、上記第２結束テープに圧着される。
【００１０】
従って、被包装物をくるんだ状態の風呂敷本体において左右方向に位置する２つの角隅部は、それぞれ左右方向に位置する第３の折返し端と第４の折返し端とによって上記風呂敷本体の前面側に折り返された後、上記間隔を保って上記風呂敷本体の前面を通る第１結束テープによって、それぞれの角隅部が確実に保持されるため保冷風呂敷の包装形態が安定して高い密封性が得られるようになる。
【００１１】
また、裏面に設けたアルミ蒸着またはアルミ箔を使用したラミネートフィルムと、中間に設けた所定厚さの発泡樹脂シートとを積層したことにより、所望の保冷効果が発揮される。
【００１２】
また、帯状のテープで形成され基端部が上記風呂敷本体表面の角隅部近傍に取り付けられ先端部が上記角隅部とその対角に位置する反対側の角隅部とのなす対角線上にあって上記角隅部から外方に延長配置され先端部裏面に面ファスナーを有する第１結束テープと、少なくとも基端部が上記角隅部近傍に取り付けられ先端部が上記対角線上で風呂敷本体の中央部近傍に延長配置され、少なくとも一部の表面に被着用面ファスナーを有する第２結束テープとを備えたことにより、第２結束テープに対する第１結束テープの圧着位置を任意に設定することができ、第１結束テープの圧着位置を調整することで種々の形状、大きさの被包装物に対応できるようになり、当該被包装物を確実に保持できるようになる。
【考案の効果】
【００１３】
本考案によると、被包装物の大きさを問わずに、高齢者や子供でも簡単かつ容易に包装することができ、当該包装形態を確実に保持できる保冷性、携帯性に優れた保冷風呂敷を提供することができる。
また、第１結束テープを伸縮性を有するテープとした場合は、上記角隅部から繰り出されている第１結束テープの先端部を持って下方に向けて引っ張って第１結束テープの先端部裏面の面ファスナーを第２結束テープの被着用面ファスナーの任意の位置に押しつけるので、第１結束テープが伸張した状態で第２結束テープに圧着され、それぞれの角隅部が確実に保持されるため保冷風呂敷の包装形態が安定して高い密封性が得られるようになる。
また、上記掛止め用ボタンが取り付けられている角隅部と対角をなす反対側の角隅部の裏面に保冷剤収容部を設けた場合には、該保冷剤収容部に保冷剤を収容することで保冷風呂敷の保冷性を向上させることができる。
【図面の簡単な説明】
【００１４】
【図１】本考案の実施の形態を示す図で、被包装物を包装した状態の保冷風呂敷を示す斜視図である。
【図２】本考案の実施の形態を示す図で、展開した状態の保冷風呂敷を示す裏面側からの斜視図である。
【図３】本考案の実施の形態を示す図で、折り畳んだ状態の保冷風呂敷を示す斜視図である。
【図４】本考案の実施の形態を示す図で、展開した状態の保冷風呂敷を示す表面図である。
【図５】本考案の実施の形態を示す図で、展開した状態の保冷風呂敷を示す裏面図である。
【図６】本考案の実施の形態を示す図で、図４中のＡ−Ａ線における拡大断面図である。
【図７】本考案の実施の形態を示す図で、被包装物を包装する過程を段階的に示す斜視図である。
【図８】本考案の実施の形態を示す図で、被包装物を包装した状態の保冷風呂敷を示す断面図である。
【図９】本考案の実施の形態を示す図で、他の被包装物を包装した状態の保冷風呂敷を示す斜視図である。
【図１０】本考案の実施の形態を示す図で、他の被包装物を包装した状態の保冷風呂敷を示す断面図である。
【考案を実施するための形態】
【００１５】
以下、図１〜図１０に示す実施の形態を例にとって本考案を実施するための形態を説明する。
本考案の保冷風呂敷１は、弁当や生鮮食料品等、保冷性が必要とされる被包装物Ａを包むのに好適な保冷風呂敷である。そして、この保冷風呂敷１は、被包装物Ａを実際にくるむ風呂敷本体３と、該風呂敷本体３表面の角隅部３１に取り付けられ該取付け位置から繰り出される第１結束テープ５と、上記第１結束テープ５の先端部を圧着する第２結束テープ７と、を具備することによって基本的に構成されている。
【００１６】
このうち、風呂敷本体３は、表面に樹脂または布シート１１を有し、裏面にアルミ蒸着またはアルミ箔を使用したラミネートフィルム１３を有している。また、上記撥水樹脂シート１１とラミネートフィルム１３との間には所定厚さの発泡樹脂シート１５が配設されており、更に、本実施の形態ではこれらの周囲に縁１７を宛てがい、図６に示すように一例として縁１７の表面側の端部を内側に折り返した状態で糸１９によって縁かがりする縫製加工によって風呂敷本体３が成形されている。尚、この成形は縫製加工に限られず、接着等により行っても良い。
【００１７】
上記樹脂または布シート１１としては、軽撥水効果を有するナイロンフィルムが一例として使用でき、上記縁１７の材料としてポリエステル生地が一例として使用できる。尚、ナイロンフィルム以外のポリエステル生地等を使用することもできるし、綿や絹等の布を使用しても良い。
また、上記発泡樹脂シート１５としては、厚さｔが２ｍｍ〜４ｍｍに設定されている発泡ポリエチレンシートが一例として適用可能である。
【００１８】
そして、このようにして成形される風呂敷本体３は、一例として４つの辺３５、３６、３７、３８の長さが約４３．５ｃｍの正方形状に形成されており、上述した第１結束テープ５が取り付けられる角隅部３１と、その対角に位置する反対側の角隅部３２と、これらの角隅部３１、３２と直交するそれぞれ対角に位置する２つの角隅部３３、３４との計４つの角隅部３１、３２、３３、３４を有している。
【００１９】
上記第１結束テープ５としては、ゴムベルト等の伸縮性を有する帯状テープが一例として適用できる。第１結束テープ５は、基端部が上記風呂敷本体３表面の角隅部３１近傍に一例として縫着により取り付けられている。第１結束テープ５の取付け位置Ｏは、風呂敷本体３の角隅部３１の両縁部からそれぞれ距離が風呂敷本体３の大きさにもよるが一例として約３ｃｍ離れた位置に設定されている。尚、第1結束テープ５は、風呂敷本体３の裏面に取付けられていても良い。
【００２０】
また、上記第１結束テープ５の先端部裏面に一例としてフック状に起毛された面ファスナー９が設けられている。面ファスナー９の長さは約４．５ｃｍで幅は約１．６ｃｍに設定されている。
【００２１】
第１結束テープ５は、先端部は上記角隅部３１とその対角に位置する反対側の角隅部３２とのなす対角線Ｄ上にあって上記角隅部３１から外方に延長配置されている。
また、上記第１結束テープ５の長さは一例として約１７ｃｍで約２４ｃｍまで伸張でき、幅は約２ｃｍに設定されている。
【００２２】
第２結束テープ７としては、フラットベルト等の伸縮性のない帯状テープが一例として適用できる。第２結束テープ７は、表面全体に一例としてループ状に密集して起毛された被着用面ファスナー１０が設けられている。尚、被着用面ファスナー１０は表面全体に設けるほか、複数箇所に部分的に設けることも可能である。
尚、上記第１結束テープ５としては、フラットベルト等の伸縮性を有しない帯状テープとすることも可能である。
【００２３】
第２結束テープ７は、基端部が上記角隅部３１近傍に取り付けられ先端部が少なくとも上記対角線Ｄ上で風呂敷本体３の中央部近傍に延長配置され、一例として縫着により取り付けられている。第２結束テープ５の取付け位置Ｏは、基端部が該第１結束テープ５の取付け位置Ｏよりも約４ｃｍ内側に取り付けられ、先端部が風呂敷本体３のほぼ中央部に取り付けられている。上記第２結束テープ７の長さは一例として約２１ｃｍで、幅は約２ｃｍに設定されている。また、被着用面ファスナー１０の長さは約２１ｃｍで幅は約１．３ｃｍに設定されている。
尚、第２結束テープ５の取り付け範囲は上記の例に限られるものではなく、例えば全体に取り付けられていても良い。
【００２４】
また、本実施の形態では上記風呂敷本体３の裏面における上記角隅部３１と対角をなす反対側の角隅部３２には、保冷剤Ｃを収容する一例としてポケット状の保冷剤収容部２１
が設けられている。
保冷剤収容部２１の材質としては、保冷剤Ｃからの冷気が被包装物Ａに効率良く作用するように多数の通気孔２３が形成されたメッシュ素材が一例として適用できる。
【００２５】
また、保冷剤収容部２１の形状及び大きさは、上記保冷剤Ｃを収容できる種々の形状及び大きさのものが適用できるが、本実施の形態では、当該角隅部３２の形状及び大きさに対応した裏面視三角形状の保冷剤収容部２１を採用している。尚、当該保冷剤収容部２１の風呂敷本体３に対する取り付けは、上述した縁１７と糸１９を使用した縁かがりによって共縫いされることにより実行されている。
【００２６】
次に、このようにして構成される本考案の保冷風呂敷１を使用してサイズの大きな被包装物Ａを包装する場合の手順を図７に基づいて説明する。
まず、図７（ａ）に示すように裏面のラミネートフィルム１３を上にして、保冷風呂敷１をテーブル等の上に敷き、ラミネートフィルム１３の一例として中央に被包装物Ａを置く。また、保冷剤収容部２１には予め保冷剤Ｃを収容しておく。
【００２７】
次に、図７（ｂ）に示すように上記保冷剤収容部２１が設けられている下方の角隅部３２を第１の折返し端４１で前面側に折り返して被包装物Ａの下端部を包むように被包装物Ａの前面に被せる。
尚、この状態では、被包装物Ａの前面に上記保冷剤Ｃが収容された保冷剤収容部２１が位置しており、保冷剤Ｃの冷気が保冷剤収容部２１の通気孔２３を通って、直接被包装物Ａに作用するようになっている。
【００２８】
続いて、図７（ｃ）に示すように左側の角隅部３３を第３の折返し端４３で前面側に折り返し、右側の角隅部３４を第４の折返し端４４で前面側に折り返して被包装物Ａの左右の側端部を包むように先に折り返した上記角隅部３２の前面に被せる。
最後に、図７（ｄ）に示すように第１結束テープ５が設けられている上方の角隅部３１を第２の折返し端４２で前面側に折り返して被包装物Ａの上端部を包むように先に折り返した上記角隅部３３と角隅部３４の前面に被せる。
【００２９】
そして、上記角隅部３１から繰り出されている第１結束テープ５の先端部８を持って下方に向けて引っ張り、上記第１の折返し端４１で前面から後面へと巻回し、そのまま上方へ向けて引っ張って第１結束テープ５の先端部８裏面の面ファスナー９を第２結束テープ７の被着用面ファスナー１０の任意の位置に押しつければ第１結束テープ５が伸張した状態で第２結束テープ７に圧着され、保冷風呂敷１による被包装物Ａの包装が完了する。
【００３０】
被包装物Ａをくるんだ状態の風呂敷本体３において左右方向に位置する２つの角隅部３３、３４は、それぞれ左右方向に位置する第３の折返し端４３と第４の折返し端４４とによって上記風呂敷本体３の前面側に折り返された後、上記間隔を保って上記風呂敷本体の前面を通る第１結束テープ５によって、それぞれの角隅部が確実に保持されるため保冷風呂敷の包装形態が安定して高い密封性が得られるようになる。
尚、上記第１結束テープ５をフラットベルト等の伸縮性を有しない帯状テープとした場合には、第１結束テープ５が伸縮することによるより強力な密着機能には及ばないが、被包装物の大きさを問わずに、高齢者や子供でも簡単かつ容易に包装することができ、当該包装形態を確実に保持できる保冷性、携帯性に優れた保冷風呂敷を提供することが可能である。
【００３１】
また、裏面に設けたアルミ蒸着またはアルミ箔を使用したラミネートフィルム１３と、中間に設けた所定厚さの発泡樹脂シート１５とを積層したことにより、所望の保冷効果が発揮される。
【００３２】
また、本実施の形態の保冷風呂敷１は、図９、図１０に示すようにサイズの小さな被包装物Ａを包装する場合にも使用できる。この場合には、風呂敷本体３の各角隅部３１、３２、３３、３４がそれぞれオーバーラップした状態で被包装物Ａをくるむようになるから、第２結束テープ７に対する第１結束テープ５の先端部８の圧着位置も第２結束テープ７の基端部寄りとなり、具体的には被包装物Ａの背面側や上面側になる。
【００３３】
この他、本考案の保冷風呂敷１を使用しない場合には、例えば図３に示すように４枚に折り畳んだり、ロール状に丸めて仕舞っておいたり、買い物カゴやバッグ等に収容して携帯することも可能である。
【００３４】
そして、このような本実施の形態によれば、風呂敷本体３の角隅部３１の取付け位置Ｏから繰り出された第１結束テープ５の先端部８を単に引張って、前面から後面、さらに前面へと巻回して第２結束テープ７に圧着するだけの操作で被包装物Ａを確実に包装して保持することが可能になる。
【００３５】
また、被包装物の大きさが変化しても、第２結束テープ７に対する第１結束テープ５の圧着位置を第２結束テープ７の長さの範囲内で任意の位置とすることができるので、第１結束テープの圧着位置を調整することで種々の形状、大きさの被包装物に対して容易に対応でき、大きいサイズのものから小さいサイズのものまで被包装物を確実に保持できるようになる。
【００３６】
したがって、第１結束テープ５を強く引っ張ることは困難な高齢者や子供でも楽に操作することができ、簡単かつ容易に包装することができるものである。
【００３７】
また、撥水樹脂シート１１として採用したナイロン生地によれば、印刷が可能でデザイン性が向上するし、軽撥水効果も得られる。また、裏面に設けたアルミ蒸着またはアルミ箔を使用したラミネートフィルム１３と、中間に設けた所定厚さの発泡樹脂シート１５とによれば、所望の保冷効果が発揮される。
更に、上記角隅部３２に設けた保冷剤収容部２１と該保冷剤収容部２１に収容される保冷剤Ｃとの作用によって被包装物を直接冷却できるで、一層の保冷効果が得られるものである。
【００３８】
尚、本考案の保冷風呂敷１は、上記の実施の形態のものに限定されず、その考案の要旨内での設計変更が可能である。例えば、風呂敷本体３の形状は表面視正方形状に限らず、表面視長方形状、表面視菱形形状、表面視円形状等、他の種々の形状が採用可能である。また、風呂敷本体３の大きさも上記実施の形態のものに限らず、種々の大きさのものが採用可能である。
また、本考案の保冷風呂敷１の高い密封性により必要な保冷力が発揮される時には、被包装物Ａの種類等によっては、上記保冷剤収容部２１を省略し他の部位に保冷剤Ｃを使用することも可能であり、また、保冷剤収容部２１は備えていても他の部位に保冷剤Ｃを使用し、または保冷剤Ｃを省略することも可能である。
【００３９】
また、第１結束テープの面ファスナーや第２結束テープの被着用面ファスナーは、上記実施の形態で述べた第１結束テープ側をフックテープとし、第２結束テープ側をループテープとした実施形態に限らず、両者を逆の配置としたり、複合型の面ファスナーとしたりマッシュルーム型や鋸歯型のフックを用いたものとしたり種々の構造のものが採用可能である。
また、第１結束テープ及び第２結束テープの幅や長さは、上記実施の形態で述べた数値の範囲に限らず、保冷風呂敷１の形状や大きさ等に合わせて適宜調整することが可能である。
また、保冷剤収容部２１は、上記実施の形態で述べたポケット状の他、袋状のもので
もよいし、面テープ等を使用した圧着式のもの等、種々の構造のものが採用可能である
。
また、保冷剤としては蓄冷剤、氷やドライアイスのような冷却剤を使用しても良い。
この他、本考案の保冷風呂敷１は、保冷を必要とする弁当や生鮮食料品等の被包装物Ａを主な対象とするものであるが、このような被包装物Ａに限らず加熱調理された食品等の被包装物Ａにも拡大することが可能である。この場合にはこれらの被包装物Ａが冷めないように保温する目的で本考案の保冷風呂敷１が採用されることになり、保冷剤Ｃの使用を省略するか、保冷剤Ｃに代えて保温剤、蓄熱剤を使用することになる。
【産業上の利用可能性】
【００４０】
本考案の保冷風呂敷は、買いものや通勤、通学あるいはレジャー等の移動中に保冷が必要な被包装物を包装して持ち運びたい場合に利用でき、特に高齢者や子供でも簡単かつ容易に被包装物を包装して保冷性を高めたい場合に利用可能性を有する。
【符号の説明】
【００４１】
１  保冷風呂敷
３  風呂敷本体
５  第１結束テープ
７  第２結束テープ
８  先端部
９  面ファスナー
１０被着用面ファスナー
１１  撥水樹脂シート
１３  ラミネートフィルム
１５  発泡樹脂シート
１７  縁
１９  糸
２１  保冷剤収容部
２３  通気孔
３１  角隅部
３２  角隅部
３３  角隅部
３４  角隅部
３５  辺
３６  辺
３７  辺
３８  辺
４１  第１の折返し端
４２  第２の折返し端
４３  第３の折返し端
４４  第４の折返し端
Ａ  被包装物
Ｏ  取付け位置
ｔ  厚さ
Ｌ  （風呂敷本体の一辺の）長さ
Ｄ  対角線
Ｃ  保冷剤
【図１】
0003186603.tif 000003
【図２】
0003186603.tif 000004
【図３】
0003186603.tif 000005
【図４】
0003186603.tif 000006
【図５】
0003186603.tif 000007
【図６】
0003186603.tif 000008
【図７】
0003186603.tif 000009
【図８】
0003186603.tif 000010
【図９】
0003186603.tif 000011
【図１０】
0003186603.tif 000012